(57)【特許請求の範囲】
【請求項１】
六角形の中央部と、該中央部の周縁に交互に位置する第１周縁部および第２周縁部とからなる布片であって、これらの第１周縁部および第２周縁部が前記六角形の一辺を共有すると共に第１周縁部が前記六角形の２つの頂点を共有し、第１周縁部と前記中央部との境界線にその辺の長さより短くその辺の１／４の長さより長い第１の切り込みを有し、第２周縁部と前記中央部との境界線にその辺の両端から、「辺の長さ−第１切り込みの長さ」の１／２の長さに等しいか又は僅かに長い第２の切り込みを有してなり、前記３つの第１切り込みは他の同一形状の異なる３布片の第２切り込みと各々切り込みを一致させて嵌合し連結可能であり、前記３つの第２切り込みは前記３布片とは別の同一形状の異なる３布片の第１切り込みと各々切り込みを一致させて嵌合し連結可能であり、更に第１周縁部および第２周縁部が連結用の穴部を備えた布片同士の連結を補強するための連結補強材であって、
六角形の辺および／または対角線に沿って設けられた軸部と、該軸部の六角形の頂点に位置する係合部とからなり、該係合部が前記第１周縁部の穴部と第２周縁部の穴部に係合可能である連結補強材。
【請求項２】
前記係合部が足部と頭部からなるカシメ止めである請求項１記載の連結補強材。
【請求項３】
前記穴部を第１周縁部及び第２周縁部の各形状における重心位置に備えた請求項１または２記載の連結補強材。
【請求項４】
合成樹脂からなる請求項１〜３のいずれかに記載の連結補強材。
【発明の詳細な説明】
【技術分野】
【０００１】
この発明は、多数の偏平小片を連結することによって衣料、鞄、靴、カーテン、ブラインド、間仕切り、壁面ディスプレイ、敷物、膝掛け、アクセサリー、帽子、テーブルクロス等の各種布製品を構成することのできる布片に用いるものであって、布片同士の連結を補強することを目的とする副資材に関するものである。
【背景技術】
【０００２】
本願出願人は、特許文献１（特許第４４８０７９１号公報）において、六角形の中央部と、該中央部の周縁に交互に位置する第１周縁部および第２周縁部とからなる布片であって、これらの第１周縁部および第２周縁部が前記六角形の一辺を共有すると共に第１周縁部が前記六角形の２つの頂点を共有し、第１周縁部と前記中央部との境界線にその辺の長さより短くその辺の１／４の長さより長い第１の切り込みを有し、第２周縁部と前記中央部との境界線にその辺の両端から、「辺の長さ−第１切り込みの長さ」の１／２の長さに等しいか又は僅かに長い第２の切り込みを有してなり、前記３つの第１切り込みは他の同一形状の異なる３布片の第２切り込みと各々切り込みを一致させて嵌合し連結可能であり、前記３つの第２切り込みは前記３布片とは別の同一形状の異なる３布片の第１切り込みと各々切り込みを一致させて嵌合し連結可能であることを特徴とする布片を開示した。
【０００３】
前記布片は機能的に非常に優れ、衣料、アクセサリー、帽子等の用途にはそのまま適用しても最適であるが、鞄、靴等の比較的強い締結力を必要とする製品に適用した場合、布片同士を引き離す方向に強い力が作用して、布片同士の連結が緩んだり外れたりする虞があった。
また、布片を連結した状態の美観等を考慮すると布片の厚みは１ｍｍ以下が適しているが、これより厚みのある布片に比べて布片同士の連結が弱くなるという問題があった。
【先行技術文献】
【特許文献】
【０００４】
【特許文献１】特許第４４８０７９１号公報
【発明の概要】
【発明が解決しようとする課題】
【０００５】
本発明は前記布片を多数連結して靴や鞄等の比較的締結力の必要な製品を製作した場合であっても、布片同士の連結が緩んだり外れたりすることのない手段としての連結補強材を提供することを目的とするものである。
【課題を解決するための手段】
【０００６】
本発明の連結補強材は、六角形の中央部と、該中央部の周縁に交互に位置する第１周縁部および第２周縁部とからなる布片であって、これらの第１周縁部および第２周縁部が前記六角形の一辺を共有すると共に第１周縁部が前記六角形の２つの頂点を共有し、第１周縁部と前記中央部との境界線にその辺の長さより短くその辺の１／４の長さより長い第１の切り込みを有し、第２周縁部と前記中央部との境界線にその辺の両端から、「辺の長さ−第１切り込みの長さ」の１／２の長さに等しいか又は僅かに長い第２の切り込みを有してなり、前記３つの第１切り込みは他の同一形状の異なる３布片の第２切り込みと各々切り込みを一致させて嵌合し連結可能であり、前記３つの第２切り込みは前記３布片とは別の同一形状の異なる３布片の第１切り込みと各々切り込みを一致させて嵌合し連結可能であり、更に第１周縁部および第２周縁部が連結用の穴部を備えた布片同士の連結を補強するための連結補強材であって、六角形の辺および／または対角線に沿って設けられた軸部と、該軸部の六角形の頂点に位置する係合部とからなり、該係合部が前記第１周縁部の穴部と第２周縁部の穴部に係合可能であることを特徴とする。
【０００７】
前記係合部が足部と頭部からなるカシメ止めであることが好ましい。
前記穴部を第１周縁部及び第２周縁部の各形状における重心位置に備えたことが好ましい。
前記連結補強材は合成樹脂からなることが好ましい。
【発明の効果】
【０００８】
本発明の連結補強材は、布片同士の連結を簡単に補強することができる。靴や鞄等の比較的締結力の必要な製品を製作した場合であっても、本発明の連結補強材を用いれば布片同士の連結が緩んだり外れたりする虞はない。
【０００９】
本発明の連結補強材を用いれば、布片を多数連結して靴や鞄等の比較的締結力の必要な製品を製作した場合であっても、布片同士の連結が緩んだり外れたりすることがないので、種々の製品の作成が可能となる。即ち、本発明の連結補強材は、布片を用いた製品のバリエーションを増やし、布片および布片を用いた製品の実用価値を高めることができる。また、本発明の連結補強材を布片に固定すると、連続する布片および連結補強材により幾何学模様が構成されるため、需要者に与える視覚的効果も高い。
【図面の簡単な説明】
【００１０】
【図１】本発明の連結補強材の正面図である。
【図２】本発明の連結補強材の背面図（図２（１））および側面図（図２（２）、（３））である。
【図３】本発明の連結補強材が用いられる布片の正面図である。
【図４】図３に示した布片の連結部の状態を示す正面図である。
【図５】図３に示した布片７枚を連結した状態を示す背面図である。
【図６】本発明の連結補強材を布片に固定した状態を示す図である。
【図７】本発明の連結補強材の変形例を示す背面図である。
【符号の説明】
【００１１】
２  中央部
３  連結補強材
１０  第１周縁部
１１  第１切り込み
２０  第２周縁部
２２  第２切り込み
３０  軸部
３１  係合部
４０  穴部
【発明を実施するための形態】
【００１２】
以下、本発明に係る連結補強材の実施形態を図面に基づいて説明する。
図１は連結補強材３の正面図であり、図２は連結補強材３の背面図（同図（１））および側面図（同図（２）、（３））である。副資材３は正六角形の辺および対角線に沿って設けられた軸部３０と、該軸部の六角形の頂点の位置に設けられた係合部３１とからなっている。
【００１３】
図３は、本発明の連結補強材が用いられる布片の正面図であり、布片は正六角形の中央部２と、中央部２の周縁に交互に位置する第１周縁部１０、１０、１０および第２周縁部２０、２０、２０とからなり、第１周縁部１０、１０、１０と第２周縁部２０、２０、２０には、後記する係合部３１を介して両者を固定するための穴部４０、４０、４０、４０、４０、４０が設けられている。
第１周縁部１０、１０、１０と第２周縁部２０、２０、２０とを交互に配置することにより、布片を平面的にほぼ無限に連結していくことが可能になる。
第１周縁部１０および第２周縁部２０は、それぞれ、中央部２の正六角形の一辺を共有して中央部２と一体となっている。
【００１４】
図４は、図３に示した布片の連結部の状態を示す正面図である。図４において、第１の布片Ｐの第１周縁部１０の第１切り込み１１には、第２の布片Ｑの第２周縁部２０の第２切り込み２２、２２が嵌合している。この状態において、第１の布片Ｐの第１周縁部１０は第２の布片Ｑの中央部２の裏面に位置し、第２の布片Ｑの第２周縁部２０は第１の布片Ｐの中央部２の裏面に位置することになる。
【００１５】
図５は図３に示す布片７枚を連結した状態を示しており、布片の各第１切り込み１１（および第２切り込み２２、２２）が他の同一形状の異なる布片の第２切り込み２２、２２（および第１切り込み１１）と、それぞれが切り込みを一致させて嵌合することによって連結されている。
【００１６】
続いて、図６を用いて連結補強材を布片に固定したときの状態を説明するが、図６（１）は図５に示した布片７枚を連結した状態において更に連結補強材３で固定した状態を示す背面図であり、図６（２）は布片と連結補強材３とを分離して示す斜視図である。
図６において、連結補強材３は、布片の第１周縁部１０、１０、１０および第２周縁部２０、２０、２０に設けられた穴部４０、４０、４０、４０、４０、４０を介して他の布片の周縁部に固定され、このとき連結補強材３の係合部３１が穴部４０、４０、４０、４０、４０、４０と係合する。
【００１７】
具体的には、係合部３１、３１、３１、３１、３１、３１を構成する足部と穴部４０、４０、４０、４０、４０、４０が一致するように、連結補強材３を布片の中央部２と第１周縁部１０、１０、１０および第２周縁部２０、２０、２０の間に挟み込み、前記係合部の足部を穴部４０、４０、４０、４０、４０、４０に嵌入させた後、係合部を構成する頭部３２、３２、３２、３２、３２、３２と連結してカシメ止め等で固定する。
連結補強材３の布片への固定方法は、カシメのほか、ボタン等の種々の方法が考えられるが、連結をより強固なものとするため、一度固定すると素手では簡単に外すことのできない方法を採ることが好ましい。
一方、上記のような穴部４０を用いずに接着、バンド止めによって連結を補強しようとしても強度不足となり、好ましくない。
【００１８】
また、本実施形態では、連結補強材３を布片の中央部２と第１周縁部１０、１０、１０および第２周縁部２０、２０、２０の間に挟み込んだが、連結補強材３と布片の中央部２により第１周縁部１０、１０、１０および第２周縁部２０、２０、２０を挟むように連結補強材３を布片に固定してもよい。この場合、布片の中央部２、第１（第２）周縁部、連結補強材３の順に並ぶので、軸部３０が第１周縁部１０および第２周縁部２０を中央部側に押さえつけ、第１周縁部１０および第２周縁部２０の浮上りを防止する効果がある。その結果、浮き上がった第１周縁部１０および第２周縁部２０が、これと接する身体や物に引っかかることにより破損する虞がなくなる。
【００１９】
連結補強材は、可撓性を有する合成樹脂により成型することができ、特に、連結された布片に固定した場合に布片を折り曲げる等の動きに対して抵抗がないものであることが好ましい。したがって、ポリアセタール、ポリオキシメチレン、ポリアミド、ポリカーボネート、ナイロンなどの弾性を有する合成樹脂により成型することが好ましい。
本発明の連結補強材は、僅かな部品により構成され、かつ、簡易な構造の故に、金型で容易に一体成型することができる。
【００２０】
穴部４０の位置については、第１周縁部１０および第２周縁部２０の形状と大きさに依存するものの、格別の制限はない。但し、穴部４０を介して固定される連結補強材３によって布片同士の連結が適切に補強される位置とする必要があるため、第１周縁部１０及び第２周縁部２０の形状における重心位置とすることが好ましい。
【００２１】
穴部４０の形状と大きさについては、係合部３１の構造、形状および大きさに依存するが、布片同士の連結が適切に補強される形状と大きさであれば、格別の制限はない。
【００２２】
連結補強材３を構成する軸部３０の大きさについては布片の大きさ、穴部４０の位置、布片の素材等に依存するものの、格別の制限はない。但し、布片同士の連結が適切に補強されるとともに、布片の形状が変形しないようにする必要がある。例えば、前記した図６に示す中央部２の正六角形の一辺の長さを２０ｍｍとし、第１周縁部１０および第２周縁部２０の継ぎ長さ（継ぎ幅の長さに対する垂直方向の長さ）を１２ｍｍとすると共に、第１周縁部１０および第２周縁部２０の二等辺三角形の重心位置に穴部４０を設けた場合、軸部３０の正六角形の一辺の長さは１３ｍｍ〜１４ｍｍの範囲とすることが好ましい。
【００２３】
軸部３０の断面形状は矩形、台形、円形、楕円形等、いかなる形状にも限定されない。軸部３０の太さは、強度と可撓性を考慮すると１ｍｍ〜１．５ｍｍの範囲のものが望ましいが、当該範囲に限定はない。連結の強度を重視するのであれば当該範囲よりも太いものとし、可撓性を重視するのであれば当該範囲よりも細いものとすれば良い。布片を適用する用途に応じて、前記軸部３０の太さを決定すべきである。
【００２４】
軸部３０の形状としては正六角形の辺および対角線に沿った形状が最適である。正六角形の辺と対角線に沿った形状は、布片同士を引き離す方向に強い力が作用した場合であっても、正六角形の辺および対角線に沿って力が分散されるので布片同士の連結がより強固に補強される。
【００２５】
続いて、連結補強材３の変形例を説明する。
図７（１）には、軸部３０の形状を正六角形の対角線に沿ったものだけで構成した連結補強材３Ａが示されている。正六角形の対角線に沿った形状とした場合、正六角形の辺および対角線に沿った形状とした連結補強材３に比べて、布片を折り曲げる等の動きに対する抵抗が少ないと云う特徴がある。また、図７（２）には、軸部３０の形状を正六角形の辺に沿ったものだけで構成した連結補強材３Ｂが示されているが、連結補強材３Ａと同様の特徴がある。
【００２６】
上記連結補強材３Ａおよび３Ｂは、それぞれ単独で用いることもできるし、両方を混合して用いることもできる。連結補強材３Ａおよび３Ｂを併用する場合には、連結補強材３Ａの係合部３１ａ、３１ａ、３１ａ、３１ａ、３１ａ、３１ａと布片の穴部４０、４０、４０、４０、４０、４０および連結補強材３Ｂの係合部３１ｂ、３１ｂ、３１ｂ、３１ｂ、３１ｂ、３１ｂが一致するように、連結補強材３Ａと３Ｂにより第１周縁部１０、１０、１０および第２周縁部２０、２０、２０を挟み、係合部３１ａ、３１ａ、３１ａ、３１ａ、３１ａ、３１ａと係合部３１ｂ、３１ｂ、３１ｂ、３１ｂ、３１ｂ、３１ｂを係合させて固定する。
本実施形態によれば、連結補強材３Ａおよび３Ｂが第１周縁部１０および第２周縁部２０を挟むようにして布片に固定されるので、布片同士の連結がより強固なものとなる。さらに、第１周縁部１０および第２周縁部２０の浮上りを防止する効果もあるので、浮き上がった第１周縁部１０および第２周縁部２０が、これと接する身体や物に引っかかることにより破損する虞がなくなる。
【００２７】
本発明の連結補強材３は、布片の中央部２の形状が正六角形以外の形状、例えば点対称の六角形である場合には、軸部３０の形状も点対称の六角形の辺および／または対角線に沿った形状とすることができる。また、連結補強材３を適用する布片は必ずしも図３および図４に示したものに限らず、例えば、六角形の中央部と、該中央部の周縁に交互に位置する第１周縁部および第２周縁部とからなる布片であって、これらの第１周縁部および第２周縁部が前記六角形の一辺を共有し、第１周縁部と前記中央部との境界線にその辺の長さより短くその辺の１／４の長さより長い第１の切り込みを有し、第２周縁部と前記中央部との境界線にその辺の両端から、「辺の長さ−第１切り込みの長さ」の１／２の長さに等しいか又は僅かに長い第２の切り込みを有してなり、前記３つの第１切り込みは他の同一形状の異なる３布片の第２切り込みと各々切り込みを一致させて嵌合し連結可能であり、前記３つの第２切り込みは前記３布片とは別の同一形状の異なる３布片の第１切り込みと各々切り込みを一致させて嵌合し連結可能な布片にも適用することができる。
【００２８】
その他、軸部３０の形状は、軸部３０としてのデザイン性が考慮される。即ち、軸部３０によって構成される製品の裏面（場合によっては、表面）の意匠を決定づけるからである。また、布片を適用する用途に応じて、形状のほか、前記軸部３０の素材、太さを決定すべきである。
【図１】
0005465198.tif 000002
【図２】
0005465198.tif 000003
【図３】
0005465198.tif 000004
【図４】
0005465198.tif 000005
【図５】
0005465198.tif 000006
【図６】
0005465198.tif 000007
【図７】
0005465198.tif 000008